(57)【特許請求の範囲】
【請求項１】
基材の表面側にガラス板を連結手段にて一体化して構成された扉本体と、該扉本体の４辺の外周面を覆う４つの枠部材とを備え、
前記基材の外周面に、周方向に沿って連続する溝又は断続する凹部を形成し、前記各枠部材に、前記溝又は凹部に入り込んで該枠部材を前記基材に係止保持させるための係止部を備え、前記各枠部材の基材と対向する内面のうちの前記係止部を挟んで前後両側部分に、該枠部材の外周面側に凹んだ一対の溝を枠部材の長手方向全域に渡って形成し、該周方向で隣り合う２つの枠部材それぞれの端部から該枠部材の一対の溝に係止して両枠部材を連結する連結部材を備え、前記基材の裏面側を、該基材とほぼ同一の大きさを有する化粧板にて覆っており、該化粧板は、接着剤にて前記基材の裏面に固定されるとともに、前方側に曲がった環状のスカート部を備え、前記基材の外周面の裏面側部分に内側に削り取られて形成された環状の段部に、前記化粧板のスカート部を入り込ませていることを特徴とするキッチン用収納庫の扉。
【請求項２】
前記連結部材は、周方向で隣り合う２つの枠部材の端部間に入り込むコーナー本体と、このコーナー本体の前記２つの枠部材の端部に対向位置する２つの端面にそれぞれ備えられ、該各枠部材の一対の溝に入り込んで係止する係止解除自在な一対の係止突起とからなることを特徴とする請求項１記載のキッチン用収納庫の扉。
【請求項３】
前記枠部材の前端部に、内側に突出する鍔を、前記ガラス板の前面周縁部の前側に位置する状態で備えさせたことを特徴とする請求項１又は２記載のキッチン用収納庫の扉。
【請求項４】
前記ガラス板の前面周縁部は、周縁部の厚さを薄肉にすることにより、前面中央部よりも後方側へ位置していることを特徴とする請求項３記載のキッチン用収納庫の扉。
【請求項５】
前記鍔の後面と前記ガラス板の前面周縁部との間にパッキンを設けたことを特徴とする請求項３又は４記載のキッチン用収納庫の扉。
【請求項６】
前記基材が木製又は合成樹脂製でなる請求項１〜５のいずれかに記載のキッチン用収納庫の扉。
【発明の詳細な説明】
【技術分野】
【０００１】
本発明は、ガラス板からなる扉を備えているキッチン用収納庫の扉に関する。
【背景技術】
【０００２】
上記キッチン用収納庫の扉としては、高級感や意匠感を高める目的で一枚のガラス板を用いた扉が用いられている（例えば特許文献１参照）。このような一枚のガラス板でなる扉では、強度面において有利になるように強化ガラスを用いることが一般的であるが、ガラスが強化ガラスになるとガラスの厚みの割には重量が重いだけでなく、コスト面においても不利になっていた。
そこで、通常の安価なガラス板を用い、そのガラス板の四辺それぞれの外周縁が嵌まり込む強度のある金属製の外枠を用いてガラス板を補強できるように構成したものも提案されている（例えば、特許文献２参照）。
【特許文献１】特開平６−３３５４０８号公報（図１参照）
【特許文献２】特開２００３−３１０３６７号公報（図４参照）
【発明の開示】
【発明が解決しようとする課題】
【０００３】
上記特許文献２の構成のガラス扉では外枠にてガラス板の外周縁が覆い隠されることになるため、前面に露出されるガラス面が少なくなり、高級感や意匠感を高めることができないものであった。このように高級感や意匠感を高めるためには、前述したような強化ガラスを用いなければならないものであり、改善の余地があった。
【０００４】
本発明は前述の状況に鑑み、解決しようとするところは、強度面及びコスト面において有利にしながらも、高級感や意匠感を高めることができるキッチン用収納庫の扉を提供するものである。
【課題を解決するための手段】
【０００５】
本発明のキッチン用収納庫の扉は、前述の課題解決のために、基材の表面側にガラス板を連結手段にて一体化して構成された扉本体と、該扉本体の４辺の外周面を覆う４つの枠部材とを備え、前記基材の外周面に、周方向に沿って連続する溝又は断続する凹部を形成し、前記各枠部材に、前記溝又は凹部に入り込んで該枠部材を前記基材に係止保持させるための係止部を備え、前記各枠部材の基材と対向する内面のうちの前記係止部を挟んで前後両側部分に、該枠部材の外周面側に凹んだ一対の溝を枠部材の長手方向全域に渡って形成し、該周方向で隣り合う２つの枠部材それぞれの端部から該枠部材の一対の溝に係止して両枠部材を連結する連結部材を備え、前記基材の裏面側を、該基材とほぼ同一の大きさを有する化粧板にて覆っており、該化粧板は、接着剤にて前記基材の裏面に固定されるとともに、前方側に曲がった環状のスカート部を備え、前記基材の外周面の裏面側部分に内側に削り取られて形成された環状の段部に、前記化粧板のスカート部を入り込ませていることを特徴としている。
上記のように、基材の表面側にガラス板を連結手段にて一体化することによって、強化ガラスを用いることなく、ガラス板の強度を飛躍的に高めることができる。しかも、枠部材にて扉本体の外周面を覆うことによって、ガラス板と基材との境界部を扉本体の外周面側から見ることができないだけでなく、ガラス板の露出面積が大きく減るようなことがないから、高級感や意匠感を高めることができる。
【０００６】
前記連結部材は、周方向で隣り合う２つの枠部材の端部間に入り込むコーナー本体と、このコーナー本体の前記２つの枠部材の端部に対向位置する２つの端面にそれぞれ備えられ、該各枠部材の一対の溝に入り込んで係止する係止解除自在な一対の係止突起とからなっていてもよい。
【０００７】
前記枠部材の前端部に、内側に突出する鍔を、前記ガラス板の前面周縁部の前側に位置する状態で備えさせてもよい。
【０００８】
前記ガラス板の前面周縁部は、周縁部の厚さを薄肉にすることにより、前面中央部よりも後方側へ位置していてもよい。
【０００９】
前記鍔の後面と前記ガラス板の前面周縁部との間にパッキンを設けていてもよい。
【００１０】
前記基材が木製又は合成樹脂製でなっていてもよい。
【発明の効果】
【００１１】
基材の表面側にガラス板を連結手段にて一体化して構成された扉本体と、該扉本体の外周面を覆う枠部材とを備えることによって、扉を正面から見たときのガラス板が占める面積（露出されるガラスの面積）を増大させることができることから、強度面及びコスト面において有利にしながらも、高級感や意匠感を高めることができるキッチン用収納庫の扉を提供することができる。
また、前記基材の外周面に、周方向に沿って連続する溝又は断続する凹部を形成し、前記枠部材に、前記溝又は凹部に入り込んで該枠部材を前記基材に係止保持させるための係止部を備えていることによって、枠部材を基材に例えばビス止め等により固定する場合に比べて、組付け作業を迅速に行えるだけでなく、ビスの頭部も見えず意匠感を高めることができる利点もある。
また、前記基材の裏面側を、該基材とほぼ同一の大きさを有する化粧板にて覆うことによって、扉を開放状態にしたときに、基材の裏面側における高級感や意匠感を高めることができ、完成度の高い扉にすることができる。
【００１２】
前記基材の外周面に、周方向に沿って連続する溝又は断続する凹部を形成し、前記枠部材に、前記溝又は凹部に入り込んで該枠部材を前記基材に係止保持させるための係止部を備えている場合には、枠部材を基材に例えばビス止め等により固定する場合に比べて、組付け作業を迅速に行えるだけでなく、ビスの頭部も見えず意匠感を高めることができる利点もある。
【００１３】
前記枠部材の前端部に、内側に突出する鍔を、前記ガラス板の前面周縁部の前側に位置する状態で備えさせている場合には、例えば扉の開閉時において、他物が接当し易い箇所であるガラス板の前面周縁部に他物が接当しようとしても、鍔にて阻止することができるから、ガラス板の耐久性を更に高めることができる。
【００１４】
前記ガラス板の前面周縁部は、周縁部の厚さを薄肉にすることにより、前面中央部よりも後方側へ位置していることから、鍔がガラス板の前方に大きく突出することを回避することができ、扉がそれの厚み方向に大型化することを抑制することができる。
【００１５】
前記鍔の後面と前記ガラス板の前面周縁部との間にパッキンを設けることによって、例えば扉の開閉時において、鍔に他物が接当した場合でも、そのときの衝撃力をパッキンにて和らげることができる。
【発明を実施するための最良の形態】
【００１７】
図１に、システムキッチンを示している。前記システムキッチンは、ＩＨクッキングヒータ１を上部に備えたヒータキャビネット２と、蛇口Ｊ及び流し台３を上部に備えたシンクキャビネット４と、一段低くなった作業スペース用の凹部５を上部に備えた作業台用キャビネット６とを左右方向に併設しているが、これらのキャビネットに代えて、他のキャビネットを併設してもよいし、各キャビネット２，４，６を単独で使用することもできる。又、前記３つのキャビネット２，４，６の下方には、スライド自在な引出し７，８，９を備えているが、それらキャビネット２，４，６自体の具体的構成も、自由に変更可能である。
【００１８】
前記作業台用キャビネット６に備えている引出し９の上側には、図示していないキャビネット６内に取り付けられたガイドレールにより前後に移動自在に構成されたスライド式の収納庫Ｈを備えている。そして、前記収納庫Ｈを構成する前側に位置する本発明の扉１０を備えている。ここでは、前後に移動自在な扉１０を示しているが、縦軸又は横軸周りで揺動開閉自在な扉であってもよい。尚、前記扉１０には図示していないが、上方から収納物を収納することができる上方開放型の箱型収納部が後面側に連結されることになる。
【００１９】
前記扉１０は、図２及び図３に示すように、縦に長い長方形状の木製の基材１１の表面側にほぼ同一形状でほぼ同一の大きさのガラス板１２を連結手段である接着剤１３にて一体化して構成された扉本体１４と、該扉本体１４の４辺の外周面を覆う４つの枠部材１５とを基本構成部材として備えている。前記基材１１は、それの厚みがガラス板１２よりも厚く構成しているが、材質等によっては同一の厚み又はガラス板１２よりも薄い厚みに設定することもできる。又、前記基材１１は、正方形や円形あるいは多角形等、どのような形状であってもよい。又、基材１１の材料としては、木の他、合成樹脂等を用いることができ、例えばステンレス等の金属で構成する場合には、後述する化粧板１９を省略することができる。
【００２０】
図３および図４に示すように、前記基材１１の外周面に、周方向に沿って連続する（又は断続する凹部であってもよい）断面形状矩形状の溝１１Ｍを形成し、前記枠部材１５の前後幅方向ほぼ中央部に、前記溝１１Ｍに入り込んで該枠部材１５を前記基材１１に係止保持させるための係止部１６を備えている。
【００２１】
前記枠部材１５及び係止部１６は、アルミニウムを押し出し成形することにより一体形成されており、枠部材１５の長手方向全域に渡って係止部１６が連続形成されている。前記係止部１６は、枠部材１５の内側に突出した基部１６Ｃと、この基部１６Ｃの先端に備えられ、溝１１Ｍ内へ入り込んで該溝１１Ｍの前後方向の両側面１１ｍ，１１ｍに入り込み方向２箇所で食い込む２段の山形状の突起１６Ａ，１６Ｂとからなっており、枠部材１５内へ前記突起１６Ａ，１６Ｂを入り込ませることにより、溝１１Ｍの両側面１１ｍ，１１ｍに食い込むことにより枠部材１５を基材１１に固定することができるようになっている。前記溝１１Ｍを突起１６Ａ，１６Ｂの挿入方向手前側ほど狭くなるようにテーパー面（傾斜面）を備えさせておけば、溝１１Ｍ内に入り込んだ突起１６Ａ，１６Ｂが溝１１Ｍから離脱する側へ移動するほど、突起１６Ａ，１６Ｂが溝１１Ｍに食い込んでいく構成になり、突起１６Ａ，１６Ｂが溝１１Ｍから抜け難い構成にしてもよい。又、ここでは、突起１６Ａ，１６Ｂが溝１１Ｍに食い込む構成としたが、係止する構成であってもよいし、ネジ止め手段によって固定する構成であってもよい。
【００２２】
前記枠部材１５の前端部に、内側に突出する鍔１７を、前記ガラス板１２の前面周縁部の前側に位置する状態で備えており、扉の開閉時に他物がガラス板１２の前面周縁部に接当することを鍔１７にて阻止することができるようになっているが、鍔１７を省略して実施すれば、扉を正面から見たときのガラス板１２が占める面積（露出されるガラスの面積）を更に増大させることができる利点がある。そして、前記鍔１７の後面１７Ａから枠部材１５の前端の内面１５ａに渡る部分とこれに対応する前記ガラス板１２の前面周縁部から外周面へ渡る部分との間にパッキン１８を設けている。つまり、ガラス板１２の前面周縁部から外周面へ渡る部分（鍔１７の後面１７Ａから枠部材１５の前端の内面１５ａに渡る部分でもよい）にパッキン１８を接着剤を用いて固定している（パッキン１８の一方の面に粘着層を備えたものであってもよい）。又、鍔１７の後面１７Ａとガラス板１２の前面周縁部のみに設けてもよい。前記パッキン１８は、環状に形成された１枚のものを貼り付けてもよいし、多数の板状パッキン１８を連続的又は間隔を置いて断続的に設けてもよい。
【００２３】
前記ガラス板１２の前面周縁部は、周縁部の厚さを薄肉にすることにより、前面中央部よりも後方側へ位置している凹部１２Ａを備えさせている。従って、凹部１２Ａに前記鍔１７の一部（全部でもよい）が入り込むことにより扉が前後方向に大型化することを抑制しているが、凹部１２Ａは無くてもよい。
【００２４】
前記基材１１が木製でなり、その基材１１の裏面側を、該基材１１とほぼ同一の大きさを有する化粧板１９にて覆っており、高級感や意匠感を高めるようにしているが、化粧用の金属で基材１１が構成されている場合や化粧が不要である材料である場合には、化粧板１９を省略することができる。
【００２５】
前記化粧板１９は、接着剤２０にて基材１１の裏面に固定されているとともに、前方側に曲がった環状のスカート部１９Ａを備えている。そして、基材１１の外周面の裏面側部分に内側に削り取られて形成された環状の段部１１Ｓに、前記化粧板１９のスカート部１９Ａを入り込ませている。
【００２６】
図３〜図５に示すように、前記枠部材１５の内面のうちの、前記突起１６Ａ，１６Ｂの基部１６Ｃの前後両側部分に、枠部材１５の外周面側に凹んだ溝１５ｍ，１５mを枠部材１５の長手方向全域に渡って形成している。そして、前記周方向で隣り合う２つの枠部材１５，１５それぞれの端部から該枠部材１５の一対の溝１５ｍ，１５ｍに係止して両者を連結する連結部材としてのコーナー部材２１を備えている。
【００２７】
前記コーナー部材２１は、合成樹脂又は合成ゴム等（金属や木でもよい）からなり、周方向で隣り合う２つの枠部材１５，１５の端部間に入り込むほぼ角柱状のコーナー本体２１Ａと、このコーナー本体２１Ａの前記２つの枠部材１５，１５の端部に対向位置する２つの端面にそれぞれ備えられ、該各枠部材１５の一対の溝１５ｍ，１５ｍに入り込んで係止する係止解除自在な棒状の一対の係止突起２１Ｂ，２１Ｂからなっている。前記係止突起２１Ｂ，２１Ｂの先端は、溝１５ｍ，１５ｍに入り込み易いように先細り形状になっている。
【００２８】
前記扉のガラス板１２の前面の上部には、裏面側から差し込まれるボルト（図示せず）により左右両端が固定されて取り付けられる左右方向に長い取っ手２２を備えて、この取っ手２２を持って収納庫を前後にスライドさせることができるようになっている。前記取っ手２２は、ガラス板１２の前方に位置する角柱状の取っ手本体２２Ａと、その取っ手本体２２Ａの左右両端に連結されるとともに、前記ボルトによりガラス板１２に固定される端部材２２Ｂ，２２Ｂとからなっているが、他の構成であってもよい。
【図面の簡単な説明】
【００２９】
【図１】システムキッチンの斜視図である。
【図２】収納庫の扉を示す斜視図である。
【図３】扉の縦断側面図である。
【図４】扉の上端部を示す分解斜視図である。
【図５】コーナー部材（連結部材）を示し、（ａ）は２つの枠部材を連結した状態を示し、（ｂ）はそれの斜視図である。
【符号の説明】
【００３０】
１…クッキングヒータ、２…ヒータキャビネット、３…流し台、４…シンクキャビネット、５…凹部、６…作業台用キャビネット、７，８，９…引出し、１０…扉、１１…基材、１１Ｍ…溝、１１Ｓ…段部、１１ｍ…側面、１２…ガラス板、１２Ａ…凹部、１３…接着剤、１４…扉本体、１５…枠部材、１５Ａ，１５Ｂ…突起、１５Ｃ…基部、１５ａ…内面、１５ｍ…溝、１６…係止部、１６Ａ，１６Ｂ…突起、１６Ｃ…基部、１７…鍔、１７Ａ…後面、１８…パッキン、１９…化粧板、１９Ａ…スカート部、２０…接着剤、２１…コーナー部材（連結部材）、２１Ａ…コーナー本体、２１Ｂ，２１Ｂ…係止突起、２２…取っ手、２２Ａ…取っ手本体、２２Ｂ…端部材、Ｈ…収納庫、Ｊ…蛇口
【図１】
0005186140.tif 000002
【図２】
0005186140.tif 000003
【図３】
0005186140.tif 000004
【図４】
0005186140.tif 000005
【図５】
0005186140.tif 000006